(57)【特許請求の範囲】
【請求項１】
上縁外周側にフランジ部（２）を設けてなる排水器本体（１）と、該排水器本体（１）のフランジ部下面（２ａ）と共に洗面ボウル、浴槽、流し台のシンク等に設けた取着孔（Ｓ）の周縁を挟着して保持する、上縁外周側に当接部（６）を設けた枠体（５）より成る取着部材（４）と、から構成した排水器の取着装置において、排水器の取着装置を、外周側面に係合部（３）を設けた排水器本体（１）と、該係合部（３）に対して高さ位置を自在に調節して係合する係合受部（８）を備えて成る、上記枠体（５）に昇降自在に遊着した筒体（７）と、該筒体（７）に対して枠体（５）を押し上げた状態にて固定する、上記枠体（５）及び筒体（７）に設けた押上装置より成る取着部材（４）と、から成る取着装置において、取着部材（４）の押上装置を、外側下方に傾斜する傾斜部（９）を上部に備えた筒体（７）と、該傾斜部（９）と摺接する摺接部（１１）を内面に備えて成り、筒体（５）を抱持する様に締着する、切欠部（１２）を備えた抱持枠（１０）と、該抱持枠（１０）の切欠部（１２）の両端（１２ａ、１２ｂ）を当接させるようにして抱持枠（１０）を縮小する係着装置と、から構成したことを特徴とする排水器の取着装置。
【請求項２】
上記記載の排水器の取着装置において、取着部材（４）の抱持枠（１０）に、抱持枠（１０）の切欠部（１２）を開閉するための可動部（１３）を設けたことを特徴とする請求項１に記載の排水器の取着装置。
【請求項３】
上記記載の排水器の取着装置において、上記取着部材（４）の抱持枠（１０）の切欠部（１２）に備えた係着装置を、棒状の軸芯部（１５）、軸芯部（１５）の一方の端部に設けたレバー部（１６）、及び軸芯部（１５）又はレバー部（１６）の側面に固設した押圧凸部（１７）からなる係着部材（１４）と、抱持枠（１０）の切欠部（１２）の一方の端部（１２ａ）に備えた、上記係着部材（１４）の軸芯部（１５）及び押圧凸部（１７）に貫通され、排水器本体（１）の取着時に係着部材（１４）の押圧凸部（１７）に押圧される略円弧状の貫通孔（１８）と、上記切欠部（１２）の他方の端部（１２ｂ）に備えた、上記係着部材（１４）の軸芯部（１５）を軸支する軸支孔（１９）と、から構成したことを特徴とする請求項１又は２に記載の排水器の取着装置。
【請求項４】
上記記載の排水器の取着装置において、取着部材（４）の抱持枠（１０）の切欠部（１２）に備えた係着装置を、切欠部（１２）の一方の端部（１２ａ）に設けた軌道部（２０）と、切欠部（１２）の他方の端部（１２ｂ）に回動自在に軸着した、上記軌道部（２０）と滑動自在に係合する滑動部（２２）を備えて成るレバー部材（２１）と、から構成したことを特徴とする請求項１又は２に記載の排水器の取着装置。
【請求項５】
上記記載の排水器の取着装置において、取着部材（４）の抱持枠（１０）の切欠部（１２）に備えた係着装置を、切欠部（１２）の一方の端部（１２ａ）に回動自在に軸着した、掛止枠（２３）を備えたレバー部材（２１）と、上記切欠部（１２）の他方の端部（１２ｂ）に設けた、掛止枠（２３）を掛止する掛止受部（２４）と、から構成したことを特徴とする請求項１又は２に記載の排水器の取着装置。
【請求項６】
上縁外周側にフランジ部（２）を設けてなる排水器本体（１）と、該排水器本体（１）のフランジ部下面（２ａ）と共に洗面ボウル、浴槽、流し台のシンク等に設けた取着孔（Ｓ）の周縁を挟着して保持する、上縁外周側に当接部（６）を設けた枠体（５）より成る取着部材（４）と、から構成した排水器の取着装置において、排水器の取着装置を、外周側面に係合部（３）を設けた排水器本体（１）と、該係合部（３）に対して高さ位置を自在に調節して係合する係合受部（８）を備えて成る、上記枠体（５）に昇降自在に遊着した筒体（７）と、該筒体（７）に対して枠体（５）を押し上げた状態にて固定する、上記枠体（５）及び筒体（７）に設けた押上装置より成る取着部材（４）と、から成る取着装置において、取着部材（４）の押上装置を、上記取着部材（４）の枠体（５）又は筒体（７）のいずれか一方に回動自在に枢着した、取着部材（４）の枠体（５）を上方へ上昇させた状態にて係着する係着部を備えたレバー部材（２１）と、上記枠体（５）又は筒体（７）のうちレバー部材（２１）を備えない一方に備えた、該レバー部材（２１）と係着する係着受部と、から構成し、更に取着部材（４）のレバー部材（２１）の係着部を、略歯車形状を備えた歯車部（２７）とすると共に、上記係着受部を、該歯車部（２７）の歯と咬合する凹凸形状を備えた凹凸部（２８）としたことを特徴とする排水器の取着装置。
【請求項７】
上記記載の排水器の取着装置において、凹凸部（２８）に、レバー部材（２１）の歯車部（２７）を嵌通自在とするための嵌通溝（２９）を設けたことを特徴とする請求項６に記載の排水器の取着装置。
【請求項８】
上記記載の排水器の取着装置において、取着部材（４）に、レバー部材（２１）の回転を防止し固定するための固定装置を設けたことを特徴とする請求項６又は請求項７に記載の排水器の取着装置。
【請求項９】
上記記載の排水器の取着装置において、レバー部材（２１）の固定装置を、凸を設けて成る爪部（３２）と、該爪部（３２）と掛合する爪受部（３３）と、から構成したことを特徴とする請求項８に記載の排水器の取着装置。
【請求項１０】
上記記載の排水器の取着装置において、レバー部材（２１）の固定装置を、滑動自在に持着した、固定用凸部（３４ａ）を備えた咬合部材（３４）と、該固定用凸部（３４ａ）と咬合する固定用凹凸部（３５）と、から構成したことを特徴とする請求項８に記載の排水器の取着装置。
【発明の詳細な説明】
【０００１】
【発明の属する技術分野】
本発明は、洗面ボウル、浴槽、流し台のシンク等に排水器を容易且つ確実に取着し、また着脱し得る排水器の取着装置の改良に関する。
【０００２】
【従来の技術】
従来、洗面ボウル、浴槽、流し台のシンク等には、排水を処理するために排水器を取着する。例えば、洗面ボウルに排水器を取着する場合は、洗面ボウルに設けた取着孔の周縁に、パッキンを介して排水器本体のフランジ部下面を当接させて保持し、更にパッキンを介して、治具等を用いてナット部材を排水器本体下部より螺合し、排水器を取着していた。
【０００３】
【発明が解決しようとする課題】
一般に、ナット部材を用いて排水器を取着する場合、ナット部材の螺合は、取着孔と排水器本体との挟着部から漏水がないように十分に強い力で螺合しなければならないが、この螺合の力の強さ、所謂トルク力が不足して挟着部より漏水する場合がある。また、逆にこの漏水を防ぐためには充分なトルク力が有るかどうかを確認する、トルク管理作業が必要となり、これが取着作業を煩雑なものとする一因となっている。更に、概して排水器の取着作業は暗くて狭い場所で行われるため、治具等を視認しながら取り扱うことは困難であり、また排水器にナット部材を取着する際も作業空間が充分に取れないことが多く、取着作業が極めて難しいものとなっていた。本発明は、これらの欠点を解決するために発明されたものである。
【０００４】
【課題を解決するための手段】
本発明は、洗面ボウル、浴槽、流し台のシンク等に設けた取着孔（Ｓ）の周縁を、上縁外周側にフランジ部（２）を設けてなる排水器本体（１）と、該排水器本体（１）のフランジ部下面（２ａ）と共に挟着して保持する、上縁外周側に当接部（６）を設けた枠体（５）よりなる取着部材（４）と、から構成した排水器の取着装置において、外周側面に係合部（３）を備えた排水器本体（１）と、該係合部（３）に対して高さ位置を自在に調節して係合する係合受部（８）を備えて成る、上記枠体（５）に昇降自在に遊着した筒体（７）と、該筒体（７）に対して枠体（５）を押上げた状態にて固定する、該枠体（５）及び筒体（７）に設けた押上装置を備えた取着部材（４）と、から成る取着装置において、取着部材（４）の押上装置を、外側下方に傾斜する傾斜部（９）を上部に備えた筒体（７）と、該傾斜部（９）と摺接する摺接部（１１）を内面に備えてなる、筒体（６）を抱持する様に締着する切欠部（１２）を備えた抱持枠（１０）と、該抱持枠（１０）の切欠部の両端（１２ａ、１２ｂ）を当接させるようにして抱持枠（１０）を縮小する係着装置と、から構成したことを特徴とする排水器の取着装置である。
【０００５】
また本発明は、押上装置に抱持枠（１０）を用いた上記記載の排水器の取着装置において、取着部材の抱持枠（１０）に、抱持枠（１０）の切欠部（１２）を開閉するための可動部（１３）を設けたことを特徴とする排水器の取着装置である。
【０００６】
また本発明は、押上装置に抱持枠（１０）を用いた上記記載の排水器の取着装置において、上記取着部材（４）の抱持枠（１０）の切欠部（１２）に備えた係着装置を、棒状の軸芯部（１５）、軸芯部（１５）の一方の端部に設けたレバー部（１６）、及び軸芯部（１５）またはレバー部（１６）の側面に固設した押圧凸部（１７）からなる係着部材（１４）と、切欠部（１２）の一方の端部（１２ａ）に備えた、上記係着部材（１４）の軸芯部（１５）及び押圧凸部（１７）に貫通され、排水器本体（１）の取着時に係着部材（１４）の押圧凸部（１７）に押圧される略円弧状の貫通孔（１８）と、上記切欠部（１２）の他方の端部（１２ｂ）に備えた、上記係着部材（１４）の軸芯部（１５）を軸支する軸支孔（１９）と、から構成したことを特徴とする排水器の取着装置である。
【０００７】
また本発明は、押上装置に抱持枠（１０）を用いた上記記載の排水器の取着装置において、上記取着部材（４）の抱持枠（１０）の切欠部（１２）に備えた係着装置を、滑動部（２２）を設けて成るレバー部材（２１）と、切欠部（１２）の一方の端部（１２ａ）に上記のレバー部材（２１）の滑動部（２２）と滑動自在に係合する軌道部（２０）を備えると共に、他方の端部（１２ｂ）に上記レバー部材（２１）を回動自在に軸着した抱持枠（１０）と、から構成したことを特徴とする排水器の取着部材である。
【０００８】
また本発明は、押上装置に抱持枠（１０）を用いた上記記載の排水器の取着装置において、上記取着部材（４）の抱持枠（１０）の切欠部（１２）に備えた係着装置を、切欠部（１２）の一方の端部（１２ｂ）に回動自在に軸着した、掛止枠（２３）を備えたレバー部材（２１）と、上記切欠部（１２）の他方の端部（１２ａ）に設けた、掛止枠（２３）を掛止する掛止受部（２４）と、から構成したことを特徴とする排水器の取着装置である。
【０００９】
また本発明は、取着部材（４）の押上装置に、枠体（５）又は筒体（７）にレバー部材（２１）を枢着した排水器の取着装置において、上記取着部材（４）のレバー部材（２１）の係着部を、略歯車形状を備えた歯車部（２７）とすると共に、上記係着受部を、該歯車部（２７）の歯と咬合する凹凸形状を備えた凹凸部（２８）としたことを特徴とする排水器の取着装置である。
【００１０】
また本発明は、取着部材（４）の押上装置に、枠体（５）又は筒体（７）に歯車部（２７）を設けたレバー部材（２１）を枢着した上記記載の排水器の取着装置において、係着受部とした凹凸部（２８）に、レバー部材（２１）の歯車部（２７）を嵌通自在とするための嵌通溝（２９）を設けたことを特徴とする排水器の取着装置である。
【００１１】
また本発明は、取着部材（４）の押上装置として枠体（５）又は筒体（７）にレバー部材（２１）を枢着した上記記載の排水器の取着装置において、取着部材（４）に枢着したレバー部材（２１）に、レバー部材（２１）の回転を防止し、固定するための固定装置を設けたことを特徴とする排水器の取着装置である。
【００１２】
また本発明は、取着部材（４）の押上装置として枠体（５）又は筒体（７）に、固定装置を設けたレバー部材（２１）を枢着した上記記載の排水器の取着装置において、レバー部材（２１）の固定装置を、凸を設けて成る爪部（３２）と、該爪部（３２）と掛合する爪受部（３３）と、から構成したことを特徴とする排水器の取着装置である。
【００１３】
また本発明は、取着部材（４）の押上装置として枠体（５）又は筒体（７）に、固定装置を設けたレバー部材（２１）を枢着した上記記載の排水器の取着装置において、レバー部材（２１）の固定装置を、滑動自在に持着した、固定用凸部（３４ａ）を備えた咬合部材（３４）と、該固定用凸部（３４ａ）と咬合する固定用凹凸部（３５）と、から構成したことを特徴とする排水器の取着装置である。
【００１４】
【発明の実施の形態】
以下に、本発明の実施の形態について、図面を参照しながら説明する。
【００１５】
まず第１の実施例について説明する。図１から図４に示す第１実施例における排水器の取着装置は、以下に記載の各部材より構成されてなる。排水器本体（１）は、上縁外周側にフランジ部（２）を設けると共に、該排水器本体（１）の外周側面に係合部（３）として雄ねじ部（３ａ）を備えてなる。一方取着部材（４）は、洗面ボウル等に設けた取着孔（Ｓ）の周縁とパッキン（Ｐ１，Ｐ２）を介して排水器本体（１）のフランジ部下面（２ａ）と当接する、上縁外周に当接部（６）を設けた枠体（５）と、該枠体（５）を昇降自在に遊着した筒体（７）と、切欠部（１２）及び可動部（１３）を設け、また可動部（１３）にて該枠体（５）に軸着した抱持枠（１０）を備えてなる。また、棒状の軸芯部（１５）と、該軸芯部（１５）の側面に固設した押圧凸部（１７）及び軸芯部（１５）の一方の端部に設けたレバー部（１６）からなる係着部材（１４）を備えてなる。更に取着部材（４）の該筒体（７）の内周面には、係合受部（８）として上記排水器本体（１）の雄ねじ部（３ａ）と螺合する雌ねじ部（８ａ）を設けると共に、該筒体（７）上部に、外側下方に向けて傾斜する傾斜部（９）を備えてなる。また取着部材（４）の枠体（５）に軸着した抱持枠（１０）には、該筒体（７）の傾斜部（９）と摺接する摺接部（１１）を備えるとともに、切欠部（１２）の一方の端部（１２ａ）に、係着部材（１４）の軸芯部（１５）及び押圧凸部（１７）に貫通され、排水器本体（１）の取着時に、係着部材（１４）の押圧凸部（１７）に押圧される貫通孔（１８）を備え、また切欠部（１２）の他方の端部（１２ｂ）には、上記取着部材の軸芯部（１５）を軸支する軸支孔（１９）を備えてなる。また排水器の取着時に、排水器と取着孔（Ｓ）の周縁とを緊密に当接させるためのパッキン（Ｐ１、Ｐ２）を備えてなる。
【００１６】
上記のように構成した排水器の取着装置を、洗面ボウル、浴槽、流し台のシンク等に取着する場合、まず洗面ボウル等に開設した取着孔（Ｓ）の周縁に、パッキン（Ｐ１）を介して排水器本体（１）のフランジ部下面（２ａ）を当接させ保持する。次いで、パッキン（Ｐ２）を介して、取着孔（Ｓ）の下方より排水器本体（１）に取着部材（４）を嵌挿し、取着部材（４）の筒体（７）の雌ねじ部（８ａ）が適当な高さとなるまで、該雌ねじ部（８ａ）を排水器本体（１）の雄ねじ部（３ａ）に嵌挿螺合させる。更に係着部材（１４）を、切欠部の一方の端部（１２ａ）に備えた貫通孔（１８）に貫通させた後、軸芯部（１５）を、切欠部（１２）が開くような状態にて軸支孔（１９）に軸支させる。そして、この状態より係着部材（１４）のレバー部（１６）を、抱持枠（１０）の切欠部（１２）の両端部（１２ａ、１２ｂ）が当接するような方向へ回転させると、貫通孔（１９）の内周面が係着部材（１４）の押圧凸部（１７）に押圧され、抱持枠（１０）の径が短かくなるため、抱持枠（１０）の摺接部（１１）が、傾斜部（９）の円周が短くなる上方へと摺接する。これにより、抱持枠（１０）が、枠体（５）を上方に押上げるように押圧し、排水栓本体（１）のフランジ部下面（２ａ）と、取着部材（４）の枠体（５）の当接部（６）とで取着孔（Ｓ）の周縁をパッキン（Ｐ１、Ｐ２）を介して強く挟持するために、排水器が取着孔（Ｓ）に確実に取着される。また排水器を洗面ボウルの取着孔（Ｓ）より着脱する場合は、上記レバー部（１６）を切欠部（１２）の両端部（１２ａ、１２ｂ）が開くような状態になるよう回転させることで、抱持枠（１０）の押圧が解除され、次いで、取着部材（４）と排水器本体（１）との螺合を解除することにより排水器を容易に脱着することができる。
【００１７】
次に第２の実施例について説明する。図５から図７に示す第２実施例における排水器の取着装置は、以下に記載の各部材より構成されてなる。排水器本体（１）は、上縁外周側にフランジ部（２）を設けると共に、該排水器本体（１）の外周側面に係合部（３）として雄ねじ部（３ａ）を備えてなる。一方取着部材（４）は、洗面ボウル等に設けた取着孔（Ｓ）の周縁とパッキン（Ｐ１，Ｐ２）を介して排水器本体（１）のフランジ部下面（２ａ）と当接する、上縁外周に当接部（６）を設けた枠体（５）と、該枠体（５）を昇降自在に遊着した筒体（７）と、切欠部（１２）及び可動部（１３）を設け、また可動部（１３）にて該枠体（５）に軸着した抱持枠（１０）を備えてなる。また取着部材（４）の該筒体（７）の内周面には、係合受部（８）として上記排水器本体（１）の雄ねじ部（３ａ）と螺合する雌ねじ部（８ａ）を設けると共に、該筒体（７）上部に、外側下方に向けて傾斜する傾斜部（９）を備えてなる。また取着部材（４）の枠体（５）に軸着した抱持枠（１０）には、更に切欠部（１２）の一方の端部（１２ａ）に略楕円形状の軌道部（２０）を設けると共に、切欠部（１２）の他方の端部（１２ｂ）に回動自在に軸着した、上記軌道部（２０）と滑動自在に係合する滑動部（２２）を設けたレバー部材（２１）を備えてなる。また排水器の取着時に、排水器と取着孔（Ｓ）の周縁とを緊密に当接させるためのパッキン（Ｐ１，Ｐ２）を備えてなる。
【００１８】
上記のように構成した排水器の取着装置を、洗面ボウル、浴槽、流し台のシンク等に取着する場合、まず洗面ボウル等に開設した取着孔（Ｓ）の周縁に、パッキン（Ｐ１）を介して排水器本体（１）のフランジ部下面（２ａ）を当接させ保持する。次いで、パッキン（Ｐ２）を介して、取着孔（Ｓ）の下方より排水器本体（１）に取着部材（４）を嵌挿し、取着部材（４）の筒体（７）の雌ねじ部（８ａ）が適当な高さとなるまで、該雌ねじ部（８ａ）を排水器本体（１）の雄ねじ部（３ａ）に嵌挿螺合させる。更に、抱持枠（１０）の摺接部（１１）を、取着部材（４）の筒体（７）の傾斜部（９）に摺接させ、次いでレバー部材（２１）の滑動部（２２）を、略楕円形状に設けた軌道部（２０）に係合させてから、滑動部（２２）を軌道部（２０）の端部（２０ａ）へと滑動させると、レバー部材（２１）の滑動部（２２）が、軌道部（２０）を、切欠部の両端部（１２ａ、１２ｂ）同士が当接する方向へと押圧するため、抱持枠（１０）の径が短くなり、抱持枠（１０）の摺接部（１１）が、傾斜部（９）の円周が短くなる上方へと摺接する。これにより、抱持枠（１０）が、枠体（５）を上方に押上げるよう押圧し、排水栓本体（１）のフランジ部下面（２ａ）と、取着部材の枠体（５）の当接部（６）とで取着孔（Ｓ）の周縁をパッキン（Ｐ１、Ｐ２）を介して強く挟持するために、排水器が取着孔（Ｓ）に確実に取着される。また排水器を洗面ボウルの取着孔（Ｓ）より脱着する場合は、上記レバー部材（２１）の滑動部（２２）を、切欠部（１２）の両端部（１２ａ、１２ｂ）が開くような状態になるよう端部（２０ａ）から戻すことにより、抱持枠（１０）の押圧が解除され、次いで取着部材（４）と排水器本体（１）の螺合を解除することにより排水器を容易に脱着することができる。
【００１９】
次に第３の実施例について説明する。図８から図１０に示す第３実施例における排水器の取着装置は、以下に記載の各部材より構成されてなる。排水器本体（１）は、上縁外周側にフランジ部（２）を設けると共に、該排水器本体（１）の外周側面に係合部（３）として雄ねじ部（３ａ）を備えてなる。一方取着部材（４）は、洗面ボウル等に設けた取着孔（Ｓ）の周縁とパッキン（Ｐ１，Ｐ２）を介して排水器本体（１）のフランジ部下面（２ａ）と当接する、上縁外周に当接部（６）を設けた枠体（５）と、該枠体（５）を昇降自在に遊着した筒体（７）と、切欠部（１２）及び可動部（１３）を設け、また可動部（１３）にて該枠体（５）に軸着した抱持枠（１０）を備えてなる。また取着部材（４）の該筒体（７）の内周面には、係合受部（８）として上記排水器本体（１）の雄ねじ部（３ａ）と螺合する雌ねじ部（８ａ）を設けると共に、該筒体（７）上部に、外側下方に向けて傾斜する傾斜部（９）を備えてなる。また取着部材（４）の枠体（５）に軸着した抱持枠（１０）には、更に該抱持枠（１０）の切欠部（１２）の一方の端部（１２ａ）に回動自在に軸着した、掛止枠（２３）を備えたレバー部（２１）と、切欠部（１２）の他方の端部（１２ｂ）に設けた、該掛止枠（２３）を掛止する掛止受部（２４）を備えてなる。また排水器の取着時に、排水器と取着孔（Ｓ）の周縁とを緊密に当接させるためのパッキン（Ｐ１，Ｐ２）を備えてなる。
【００２０】
上記のように構成した排水器の取着装置を、洗面ボウル、浴槽、流し台のシンク等に取着する場合、まず洗面ボウル等に開設した取着孔（Ｓ）の周縁に、パッキン（Ｐ１）を介して排水器本体（１）のフランジ部下面（２ａ）を当接させ保持する。次いで、パッキン（Ｐ２）を介して、取着孔（Ｓ）の下方より排水器本体（１）に取着部材（４）を嵌挿し、取着部材（４）の筒体（７）の雌ねじ部（８ａ）が適当な高さとなるまで、該雌ねじ部（８ａ）を排水器本体（１）の雄ねじ部（３ａ）に嵌挿螺合させる。更に、抱持枠（１０）の摺接部（１１）を筒体（７）の傾斜部（９）に摺接さてから、レバー部材（２１）に軸着した掛止枠（２３）を、掛止受部（２４）に掛止させる。次いで該切欠部の両端部（１２ａ、１２ｂ）同士が当接する方向へとレバー部材（２１）を回転させると、抱持枠（１０）の径が短くなり、抱持枠（１０）の摺接部（１１）が、傾斜部（９）の円周が短くなる上方へと押圧される。これにより、抱持枠（１０）が、枠体（５）を上方に押上げるよう押圧し、排水栓本体（１）のフランジ部下面（２ａ）と、取着部材の枠体（５）の当接部（６）とで取着孔（Ｓ）の周縁をパッキン（Ｐ１、Ｐ２）を介して強く挟持するために、排水器が取着孔（Ｓ）に確実に取着される。また排水器を洗面ボウルの取着孔（Ｓ）より脱着する場合は、上記レバー部材（２１）を、切欠部（１２）の両端部（１２ａ、１２ｂ）が開くような状態になるよう回転させることにより、抱持枠（１０）の押圧が解除され、次いで取着部材（４）と排水器本体（１）の螺合を解除することにより排水器を容易に脱着することができる。
【００２１】
また上記の第１実施例、第２実施例、第３実施例等に記載の排水器の取着装置においては、取着部材（４）の抱持枠（１０）に、抱持枠（１０）の切欠部（１２）を開閉するための可動部（１３）を設けて成るが、抱持枠（１０）の材質に多少の柔軟性があるか、或いは抱持枠（１０）の径が充分に大きく、抱持枠（１０）の切欠部（１２）を充分に拡げられるような場合、抱持枠（１０）の切欠部（１２）を開閉するための可動部（１３）を設けずとも、上記実施例に示したものと同等の機能を備えた排水器の取着装置を構成することもできる。
【００２２】
次に第４の実施例について説明する。図１１から図１３に示した第４実施例における排水器の取着装置は、以下に記載の各部材より構成されてなる。排水器本体（１）は、上縁外周側にフランジ部（２）を設けると共に、該排水器本体（１）の外周側面に係合部（３）として雄ねじ部（３ａ）を備えてなる。一方取着部材（４）は、洗面ボウル等に設けた取着孔（Ｓ）の周縁とパッキン（Ｐ１，Ｐ２）を介して排水器本体（１）のフランジ部下面（２ａ）と当接する、上縁外周に当接部（６）を設けた枠体（５）と、該枠体（５）を昇降自在に遊着した筒体（７）より成る。更に該筒体（７）には、上記取着部材（４）の枠体（５）を上方へ上昇した状態にて係着する、略歯車形状の歯車部（２７）を備えたレバー部材（２１）を回動自在に枢着してなる。また上記枠体（５）にはレバー部材（２１）の歯車部（２７）の歯と咬合する凹凸形状の凹凸部（２６）を螺旋状に刻設して成る。また排水器の取着時に、排水器本体（１）と取着孔（Ｓ）の周縁とを緊密に当接させるためのパッキン（Ｐ１，Ｐ２）を備えてなる。
【００２３】
上記のように構成した排水器の取着装置を、洗面ボウル、浴槽、流し台のシンク等に取着する場合、まず洗面ボウル等に開設した取着孔（Ｓ）の周縁に、パッキン（Ｐ１）を介して排水器本体（１）のフランジ部下面（２ａ）を当接させ保持する。次いで、パッキン（Ｐ２）を介して、取着孔（Ｓ）の下方より排水器本体（１）に取着部材（４）を嵌挿し、取着部材（４）の筒体（７）の雌ねじ部（８ａ）が適当な高さとなるまで、該雌ねじ部（８ａ）を排水器本体（１）の雄ねじ部（３ａ）に、また同時にレバー部材（２１）の歯車部（２７）を枠体（５）の凹凸部（２８）に、それぞれ嵌挿螺合させる。更に、レバー部材（２１）を押し下げることにより、歯車部（２７）が回転して凹凸部（２８）と咬合し、取着部材の枠体（５）が上方に押し上げるよう押圧され、排水器本体（１）のフランジ部下面（２ａ）と、取着部材（４）の枠体（５）の当接部（６）とで取着孔（Ｓ）の周縁をパッキン（Ｐ１、Ｐ２）を介して強く挟持するために、排水器が取着孔（Ｓ）に確実に取着される。また排水器を洗面ボウルの取着孔（Ｓ）より脱着する場合は、取着部材（４）の筒体（７）に備えたレバー部材（２１）を押し上げ、上記歯車部（２７）と被圧凹凸部（２８）の咬合を解除し、次いで取着部材（４）と排水器本体（１）との螺合を解除することにより排水器を容易に脱着することができる。
【００２４】
また、本第４実施例に用いた排水器の取着装置には、図１４に示すように枠体（５）に設けた凹凸部（２８）に、レバー部材（２１）の歯車部（２７）を嵌通する嵌通溝（２９）を設けることで、より容易にレバー部材（２１）を適当な高さまで移動させることができる。ただしこの場合には歯車部（２７）と凹凸部（２８）が咬合するように、枠体（５）を筒体（７）に対して回転させる必要がある。また、このように嵌通溝（２９）を設けることで、図１５のような凹凸部（２８）を螺旋形状に刻設していない枠体（５）も利用することができる。
【００２５】
上記の第４実施例等に記載の排水器の取着装置においては、排水器の取着時に、枠体（５）と筒体（７）との間に生じる押圧の圧力によってレバー部材（２１）が回動しないように固定されるが、必要に応じて図１６、図１７及び図１８に示すような固定装置を用いてレバー部材（２１）の回動を固定することもできる。
【００２６】
図１６に示すレバー部材（２１）の固定装置の例では、レバー部材（２１）の固定装置を、凸を設けて成る爪部（３２）を備えた筒体（７）と、該爪部（３２）と掛合する爪受部（３３）を備えたレバー部材（２１）と、から構成して成る。
【００２７】
上記のように構成したレバー部材（２１）の固定装置は、排水器の取着時にレバー部材（２１）を通常通り作動させることで、筒体に設けた爪部（３２）が、レバー部材（２１）の爪受部（３３）に掛合して、レバー部材（２１）を固定することができる。また排水器を洗面ボウルの取着孔（Ｓ）より脱着する場合は、レバー部材（２１）を押下げることにより、爪部（３２）と爪受部（３３）の掛合が解除され、レバー部材（２１）の固定を解除することができる。
【００２８】
図１７及び図１８に示すレバー部材（２１）の固定装置の例では、レバー部材（２１）の固定装置を、レバー部材（２１）に滑動自在に持着した、固定用凸部（３４ａ）を備えた咬合部材（３４）と、該固定用凸部（３４ａ）と咬合する固定用凹凸部（３５）を備えた筒体（７）と、から構成して成る。
【００２９】
上記のように構成したレバー部材（２１）の固定装置は、排水器の取着時にレバー部材（２１）を通常通り作動させてのち、レバー部材（２１）の咬合部材（３４）を滑動させて、筒体に設けた固定用凹凸部（３５）に固定用凸部（３４ａ）を咬合させることで、レバー部材（２１）を固定することができる。またレバー部材（２１）の固定を解除する場合は、レバー部材（２１）の咬合部材（３４）を滑動させて、筒体（７）に設けた固定用凹凸部（３５）と固定用凸部（３４ａ）の咬合を解除することで、レバー部材（２１）の固定を解除することができる
【００３０】
また上記の第４実施例等に記載の排水器の取着装置においては、レバー部材（２１）を全て筒体（７）に、また係着受部を全て枠体（５）に備えて成るが、必要に応じて、図１９に示すように、レバー部材（２１）を全て枠体（５）に、また係着受部を全て筒体（７）に設けて構成することもできる。
【００３１】
本発明による排水器の取着装置の実施例は上記のようであるが、本発明は上記実施例に限定されるものではない。例えば、上記実施例では、排水器本体（１）と筒体（７）との係合をネジを用いて行っているが、排水器本体（１）に対して筒体（７）を高さ位置を自在に調節して係合し、固定できるのであればどの様な方法を用いても良く、該係合方法によって本発明が特徴づけられるものではない。
【００３２】
また、図示してはいないが、上記排水器本体（１）及び取着部材（４）を、円形状以外の形状、例えば正方形形状などの任意の形状にしても同様に排水器を取着孔（Ｓ）に取着することが可能である。
【００３３】
【発明の効果】
本発明による排水器の取着装置は上記の様に構成したため、下記の様な優れた効果を奏する。
【００３４】
ｉ）本発明による取着装置を採用した排水器は、治具を用いた取着を行わないので、暗所や閉所での取着の作業性が大変優れている。
ｉｉ）本発明による取着装置を採用した排水器は、ネジ等で排水器本体と取着部材の係合を行ったあと、更に抱持枠、レバー部材、または屈伸部材等で枠体を押し上げて取着する、いわば２段階取着を行う。これによって通常の１段階取着取着より遥かに強力な排水器の取着が行われるため、トルク力の不足による漏水が無い。また、押圧の力を充分以上に得られるのでトルク管理も不要である。
ｉｉｉ）本発明による取着装置を採用した排水器は、ネジ等で排水器本体と取着部材の係合を行ったあと、更に抱持枠、レバー部材、または屈伸部材等で枠体を押し上げて取着する、いわば２段階取着を行う。このため、１段階目の取着取着時に高さの調整を容易且つ自在に行えるので、取着孔周縁部の厚みが様々な、洗面ボウル等に対しても共通の部材を使うことができ、大変便利である。また共通の部材が多ければ、大量生産も容易になり、安価に商品を提供することができる。
ｉｖ）本発明による取着装置を採用した排水器は、枠体を押し上げる取着の最終作業を、螺合によって行う必要がないため、排水器本体のフランジ部や、取着部材の枠体等を、正方形形状のような、円筒形状以外の各種形状とした排水器でも取着することができる。また、取着孔の周縁が平面以外の立体的な形状の場合にも、フランジ部を取着孔の周縁に適した形状にすることができ、密閉性や意匠性に優れた排水器を提供することができる。
【図面の簡単な説明】
【図１】本発明の第１実施例における排水器の取着装置の取着状態を示す断面図である。
【図２】本発明の第１実施例における排水器の取着装置の取着状態を示す斜視図である。
【図３】本発明の第１実施例における排水器の取着装置の部材構成を示す斜視図である。
【図４】本発明の第１実施例における排水器の取着装置の係着装置を示す斜視図である。
【図５】本発明の第２実施例における排水器の取着装置の取着状態を示す断面図である。
【図６】本発明の第２実施例における排水器の取着装置の取着状熊を示す斜視図である。
【図７】本発明の第２実施例における排水器の取着装置の部材構成を示す斜視図である。
【図８】本発明の第３実施例における排水器の取着装置の取着状態を示す断面図である。
【図９】本発明の第３実施例における排水器の取着装置の取着状態を示す斜視図である。
【図１０】本発明の第３実施例における排水器の取着装置の部材構成を示す斜視図である。
【図１１】本発明の第４実施例における排水器の取着装置の取着状態を示す断面図である。
【図１２】本発明の第４実施例における排水器の取着装置の部材構成を示す断面図である。
【図１３】本発明の第４実施例における排水器の取着装置のレバー部材を押し下げる前の段階の取着状態を示す断面図である。
【図１４】本発明の第４実施例における排水器の取着装置の、嵌通溝を設けた枠体の実施例を示す正面図である。
【図１５】本発明の第４実施例における排水器の取着装置の、嵌通溝を設けた枠体の実施例を示す正面図である。
【図１６】本発明の排水器の取着装置の、爪部を採用した固定装置を採用した取着部材を示す斜視図である。
【図１７】本発明の排水器の取着装置の、咬合部材からなる固定装置を採用した取着部材を示す斜視図である。
【図１８】本発明の排水器の取着装置の、咬合部材からなる固定装置を採用した取着部材の係着状態を示す斜視図である。
【図１９】本発明の排水器の取着装置の、レバー部材を枠体に設けたものの取着状態を示す断面図である。
【符号の説明】
１ 排水器本体
２ フランジ部
２ａ フランジ部下面
３ 係合部
３ａ 雄ねじ部
４ 取着部材
５ 枠体
６ 当接部
７ 筒体
８ 係合受部
８ａ 雌ねじ部
９ 傾斜部
１０ 抱持枠
１１ 摺接部
１２ 切欠部
１２ａ 切欠部の端部
１２ｂ 切欠部の端部
１３ 可動部
１４ 係着部材
１５ 軸芯部
１６ レバー部
１７ 押圧部
１８ 貫通孔
１９ 軸支孔
２０ 軌道部
２０ａ 軌道部の端部
２１ レバー部材
２２ 滑動部
２３ 掛止枠
２４ 掛止受部
２７ 歯車部
２８ 凹凸部
２９ 嵌通溝
３２ 爪部
３３ 爪受部
３４ 咬合部材
３４ａ 固定用凸部
３５ 固定用凹凸部
Ｓ 取着孔
Ｐ１ パッキン
Ｐ２ パッキン
【図１】
0004103058.tif 000002
【図２】
0004103058.tif 000003
【図３】
0004103058.tif 000004
【図４】
0004103058.tif 000005
【図５】
0004103058.tif 000006
【図６】
0004103058.tif 000007
【図７】
0004103058.tif 000008
【図８】
0004103058.tif 000009
【図９】
0004103058.tif 000010
【図１０】
0004103058.tif 000011
【図１１】
0004103058.tif 000012
【図１２】
0004103058.tif 000013
【図１３】
0004103058.tif 000014
【図１４】
0004103058.tif 000015
【図１５】
0004103058.tif 000016
【図１６】
0004103058.tif 000017
【図１７】
0004103058.tif 000018
【図１８】
0004103058.tif 000019
【図１９】
0004103058.tif 000020